(57)【特許請求の範囲】
【請求項１】
第１のデータと第２のデータが予め凹凸パターンとして記録されている基板と上記基板の上記凹凸パターンが形成された面に設けられた反射層とを有する、記録媒体の記録方法において、
上記反射層にレーザ光を照射し上記第２のデータによる凹凸パターンを変化させ、上記記録媒体の所定の位置に上記記録媒体の識別に用いられる第３のデータを追記録し、
上記第３のデータを記録した後の状態で上記第２のデータが所定の割合以上存在するように上記第３のデータを記録する記録媒体の記録方法。
【請求項２】
上記第３のデータを重ね書きする請求項１記載の記録媒体の記録方法。
【請求項３】
上記第３のデータは、上記記録媒体に固有の第１の識別データと上記記録媒体を製造する際に用いられる装置に固有の第２の識別データとを含み、上記方法は上記第１の識別データを追記録する請求項１記載の記録媒体の記録方法。
【請求項４】
上記第２の識別データは、上記記録媒体に予め記録されている請求項３記載の記録媒体の記録方法。
【請求項５】
上記第３のデータを重ね書きする請求項３記載の記録媒体の記録方法。
【請求項６】
上記第１の識別データと上記第２の識別データを交互に重ね書きする請求項５記載の記録媒体の記録方法。
【請求項７】
上記凹凸パターンは複数のピット部とランド部から構成され、上記第２のデータのランド部をピット部に変化させることによって上記第３のデータを追記録する請求項１記載の記録媒体の記録方法。
【請求項８】
上記記録媒体は、リードイン領域と上記第１のデータと上記第２データが予め記録されているプログラム領域とを備え、上記第３のデータは上記プログラム領域の先頭部分に記録される請求項１記載の記録媒体の記録方法。
【請求項９】
上記反射層は、アルミニウムを主体とする金属から構成されている請求項１記載の記録媒体の記録方法。
【請求項１０】
レーザ光源と、
上記レーザ光源から出射されたレーザ光を供給された信号に基づいて変調する変調器と、
上記変調器によって変調されたレーザ光をフォトレジストが塗布されたガラス原盤上に照射する対物レンズを有する光ヘッドと、
メインデータとサブデータとを上記変調器に供給する信号生成部とからなり、
上記信号生成部は、第１のサブデータと識別のために用いられる第２のサブデータとを生成し、上記第１のサブデータと上記第２のサブデータとを選択的に上記メインデータとともに上記変調器に供給し、
上記信号発生部は、上記第１のサブデータの割合が所定の割合以上となるように上記第１のサブデータを発生する記録媒体の製造装置。
【請求項１１】
第１のデータと第２のデータが予め凹凸パターンとして記録されている基板と上記基板の上記凹凸パターンが形成された面に設けられた反射層とを有する、記録媒体の記録装置において、
上記記録媒体に光ビームを照射するヘッド部と、
上記ヘッド部によって上記記録媒体から読み出された上記第２のデータを検出する検出部と、
上記検出部によって検出された結果に基づいて上記ヘッド部を制御して上記記録媒体の識別に用いられる第３のデータを上記記録媒体の所定の位置に追記録する記録制御部とからなり、
上記第３のデータは、上記反射層にレーザ光を照射し上記第２のデータによる凹凸パターンを変化させることによって記録され、上記第３のデータを記録した後の状態で上記第２のデータが所定の割合以上存在するように上記第３のデータが記録される記録媒体の記録装置。
【請求項１２】
上記記録制御部は、上記第３のデータを重ね書きする請求項１１記載の記録媒体の記録装置。
【請求項１３】
上記第３のデータは、少なくとも上記記録媒体に固有の識別データを含み、上記記録制御部は、上記第１の識別データを追記録する請求項１１記載の記録媒体の記録装置。
【請求項１４】
上記記録制御部は、上記第３のデータを重ね書きする請求項１３記載の記録媒体の記録装置。
【請求項１５】
上記凹凸パターンは複数のピット部とランド部から構成され、上記記録制御部は、上記ヘッド部を制御して上記第２のデータのランド部をピット部に変化させることによって上記第３のデータを追記録する請求項１１記載の記録媒体の記録装置。
【請求項１６】
上記記録制御部は、上記検出部による検出の結果得られる上記第３のデータの記録位置を示すデータに基づいて上記ヘッド部を制御して上記第３のデータを記録する請求項１１記載の記録媒体の記録装置。
【請求項１７】
上記記録媒体は、リードイン領域と上記第１のデータと上記第２データが予め記録されているプログラム領域とを備え、上記記録制御部によって上記第３のデータは上記プログラム領域の先頭部分に記録される請求項１６記載の記録媒体の記録装置。
【請求項１８】
上記反射層は、アルミニウムを主体とする金属から構成されている請求項１１記載の記録媒体の記録装置。
【請求項１９】
第１のデータと第２のデータが予め凹凸パターンとして記録されている基板と上記基板の上記凹凸パターンが形成された面に設けられた反射層とを有する、記録媒体の記録方法において、
上記記録媒体の識別に用いられる第３のデータの或るデータ部を上記第１のデータと上記第２のデータとともに予め記録媒体に記録し、
上記第３のデータの他のデータ部を、上記反射層にレーザ光を照射し上記第２のデータによる凹凸パターンを変化させ、上記記録媒体の所定の位置に追記録し、
上記第３のデータを記録した後の状態で上記第２のデータが所定の割合以上存在するように上記第３のデータを記録する記録媒体の記録方法。
【請求項２０】
上記第３のデータを重ね書きする請求項１９記載の記録媒体の記録方法。
【請求項２１】
上記第３のデータは、上記記録媒体に固有の第１の識別データと上記記録媒体を製造する際に用いられる装置に固有の第２の識別データとを含み、上記方法は上記第１の識別データを追記録する請求項１９記載の記録媒体の記録方法。
【請求項２２】
上記第２の識別データが、上記記録媒体に予め記録されている請求項２１記載の記録媒体の記録方法。
【請求項２３】
上記第３のデータを重ね書きする請求項２１記載の記録媒体の記録方法。
【請求項２４】
上記第１の識別データと上記第２の識別データを交互に重ね書きする請求項２３記載の記録媒体の記録方法。
【請求項２５】
上記凹凸パターンは複数のピット部とランド部から構成され、上記第２のデータのランド部をピット部に変化させることによって上記第３のデータを追記録する請求項１９記載の記録媒体の記録方法。
【請求項２６】
上記記録媒体は、リードイン領域と上記第１のデータと上記第２データが予め記録されているプログラム領域とを備え、上記第３のデータは上記プログラム領域の先頭部分に記録される請求項１９記載の記録媒体の記録方法。
【請求項２７】
上記記録媒体に予め記録されている上記第３のデータの一部のデータを読み出し、上記読み出されたデータから記録位置を示すデータを検出し、上記検出された記録位置を示すデータに基づいて上記第３の他のデータ部を記録する請求項１９記載の記録媒体の記録方法。
【請求項２８】
上記記録媒体は、リードイン領域と上記第１のデータと上記第２データが予め記録されているプログラム領域とを備え、上記第３のデータの他のデータ部は上記プログラム領域の先頭部分に記録される請求項２６記載の記録媒体の記録方法。
【請求項２９】
上記第３のデータは、上記記録媒体に固有の第１の識別データと上記記録媒体を製造する際に用いられる装置に固有の第２の識別データとを含み、上記方法は上記第１の識別データを追記録する請求項２７記載の記録媒体の記録方法。
【請求項３０】
上記第２の識別データが、上記記録媒体に予め記録されている請求項２９記載の記録媒体の記録方法。
【請求項３１】
上記反射層は、アルミニウムを主体とする金属から構成されている請求項１９記載の記録媒体の記録方法。
【請求項３２】
第１のデータと第２のデータが予め凹凸パターンとして記録されている基板と、
上記基板の上記凹凸パターンが形成された面に設けられた反射層とを有し、
上記記録媒体の識別に用いられる第３のデータが上記反射層にレーザ光を照射し上記第２のデータによる凹凸パターンを変化させることによって上記記録媒体の所定の位置に記録され、
上記第３のデータを記録した後の状態で上記第２のデータが所定の割合以上存在するように上記第３のデータが記録された記録媒体。
【請求項３３】
上記記録媒体には、上記第３のデータが重ね書きされる請求項３２記載の記録媒体。
【請求項３４】
上記第３のデータは、上記記録媒体に固有の第１の識別データと上記記録媒体を製造する際に用いられる装置に固有の第２の識別データとを含み、上記記録媒体には上記第１の識別データが追記録される請求項３２記載の記録媒体。
【請求項３５】
上記第２の識別データは、上記記録媒体に予め記録されている請求項３４記載の記録媒体。
【請求項３６】
上記記録媒体には、上記第３のデータが重ね書きされる請求項３４記載の記録媒体。
【請求項３７】
上記記録媒体には、上記第１の識別データと上記第２の識別データを交互に重ね書きされる請求項３６記載の記録媒体。
【請求項３８】
上記凹凸パターンは複数のピット部とランド部から構成され、上記記録媒体には、上記第２のデータのランド部をピット部に変化させることによって上記第３のデータが追記録される請求項３２記載の記録媒体。
【請求項３９】
上記記録媒体は、リードイン領域と上記第１のデータと上記第２データが予め記録されているプログラム領域とを備え、上記第３のデータは上記プログラム領域の先頭部分に記録される請求項３２記載の記録媒体。
【請求項４０】
上記反射層は、アルミニウムを主体とする金属から構成されている請求項３２記載の記録媒体。
【発明の詳細な説明】
【０００１】
【発明の属する技術分野】
この発明は、例えば読み出し専用（ＲＯＭ）タイプの光ディスクに対して適用されるデータ記録媒体、データ記録方法および装置に関する。
【０００２】
【従来の技術】
今日広く普及しているコンパクトディスク(Compact Disc;ＣＤ) の規格は、コンパクトディスクオーディオ（ＣＤ−ＤＡ）と呼ばれ、規格書(Red Book)に記載の規格に基づくものである。この規格書を基礎として、ＣＤ−ＲＯＭをはじめとする、種々のフォーマットが規格化され、所謂ＣＤファミリーが構成されている。以下の説明では、単にＣＤと称した場合には、ＣＤファミリーに含まれる各種のフォーマットのディスクを総称するものとする。
【０００３】
反射膜を有するディスクに対して、反射膜の材料を選定することによって、レーザビームを反射膜に照射することで、データを記録することが提案されている。この反射膜に対する記録によって、例えばディスクのそれぞれを識別するための識別情報を記録することが可能となる。ＣＤフォーマットにおいて、識別情報を記録しようとした場合、ＣＤフォーマットにおけるＱチャンネルのサブコードを利用することが考えられる。
【０００４】
ＣＤの規格では、サブコードとして、既にモード１〜モード５が規定されている。モード１は、ディスク上の位置を示すアドレス情報を時間コードとして記録するもので、最も重要なものである。モード２、モード３は、著作権コード等を記録するために使用されるものである。
【０００５】
【発明が解決しようとする課題】
ＣＤの規格では、モード１のデータが連続する１０フレームの内の９フレーム以上存在することが必要とされ、モード２またはモード３のデータは、連続する１００フレームの内の１フレーム以上存在することが必要と規定されている。すなわち、データの割合が決められているだけで、記録位置が規定されていない。マスタリングによって、一度にサブコードを記録する従来のＣＤでは、割合のみが規定されていても、大きな不都合がなかった。しかしながら、反射膜に対する識別信号の記録は、追加記録の方法であるので、記録位置が規定されていないと、追加記録が困難となる問題があった。
【０００６】
したがって、この発明の目的は、追加記録を容易に行うことが可能なデータ記録媒体、データ記録方法および装置を提供することにある。
【０００７】
【課題を解決するための手段】
上述した課題を解決するために、請求項１の発明は、第１のデータと第２のデータが予め凹凸パターンとして記録されている基板と基板の凹凸パターンが形成された面に設けられた反射層とを有する、記録媒体の記録方法において、
反射層にレーザ光を照射し第２のデータによる凹凸パターンを変化させ、記録媒体の所定の位置に記録媒体の識別に用いられる第３のデータを追記録し、
第３のデータを記録した後の状態で第２のデータが所定の割合以上存在するように第３のデータを記録する記録媒体の記録方法である。
【０００８】
請求項１０の発明は、レーザ光源と、
レーザ光源から出射されたレーザ光を供給された信号に基づいて変調する変調器と、
変調器によって変調されたレーザ光をフォトレジストが塗布されたガラス原盤上に照射する対物レンズを有する光ヘッドと、
メインデータとサブデータとを変調器に供給する信号生成部とからなり、
信号生成部は、第１のサブデータと識別のために用いられる第２のサブデータとを生成し、第１のサブデータと第２のサブデータとを選択的にメインデータとともに変調器に供給し、
信号発生部は、第１のサブデータの割合が所定の割合以上となるように第１のサブデータを発生する記録媒体の製造装置である。
【０００９】
請求項１９の発明は、第１のデータと第２のデータが予め凹凸パターンとして記録されている基板と基板の凹凸パターンが形成された面に設けられた反射層とを有する、記録媒体の記録方法において、
記録媒体の識別に用いられる第３のデータの或るデータ部を第１のデータと第２のデータとともに予め記録媒体に記録し、
第３のデータの他のデータ部を、反射層にレーザ光を照射し第２のデータによる凹凸パターンを変化させ、記録媒体の所定の位置に追記録し、
第３のデータを記録した後の状態で第２のデータが所定の割合以上存在するように第３のデータを記録する記録媒体の記録方法である。
【００１０】
請求項３２の発明は、第１のデータと第２のデータが予め凹凸パターンとして記録されている基板と、
基板の凹凸パターンが形成された面に設けられた反射層とを有し、
記録媒体の識別に用いられる第３のデータが反射層にレーザ光を照射し第２のデータによる凹凸パターンを変化させることによって記録媒体の所定の位置に記録され、
第３のデータを記録した後の状態で第２のデータが所定の割合以上存在するように第３のデータが記録された記録媒体である。
【００１１】
この発明では、所定のデータ例えばモード１のサブコード（Ｑチャンネル）以外の他のデータ例えばディスク識別データをサブコードとして反射膜への記録方法によって追加記録する場合に、記録位置が固定とされているので、追加記録を容易に行うことができる。
【００１２】
【発明の実施の形態】
以下、この発明の一実施形態について説明する。この発明の理解を容易とするために、光ディスク例えばＣＤの構造について説明する。
【００１３】
図１は、既存のＣＤの一部を拡大して示すものである。所定のトラックピッチＴｐ（例えば１．６μｍ）のトラック上に、ピットと呼ばれる凹部と、ピットが形成されてないランドとが交互に形成されている。ピットおよびランドの長さは、３Ｔ〜１１Ｔの範囲内とされている。Ｔは、最短の反転間隔である。ＣＤには、下側からレーザ光が照射される。
【００１４】
レーザ光が当たる下側から順に、厚さ１．２mmの透明ディスク基板１と、その上に被覆された反射膜２と、反射膜２に被覆された保護膜３とが順に積層された構造とされている。ピットの深さは、レーザ光の波長をλとしたときに、ピットからの戻りレーザ光とランドからの戻りレーザ光の光量差が最大となるように、λ／４に選定されている。反射膜２は、高い反射率を持つものが使用される。後述するように、反射膜２が被覆された後に、反射膜２に対してレーザ光を使用して情報が記録される。
【００１５】
このようなＣＤの製造工程の流れを図２を参照して説明する。ステップＳ１では、ガラス板に感光物質であるフォトレジストが塗布されたガラス原盤がスピンドルモータによって回転され、記録信号に応じてオン／オフされたレーザ光がフォトレジスト膜に照射され、マスタが作成される。フォトレジスト膜が現像処理され、ポジ形レジストの場合では、感光された箇所が溶け、凹凸パターンがフォトレジスト膜上に形成される。
【００１６】
フォトレジスト原盤に対してメッキがなされる電鋳処理によって１枚のメタルマスタが作成される（ステップＳ２）。メタルマスタから複数枚のマザーが作成され（ステップＳ３）、さらに、このマザーから複数枚のスタンパが作成される（ステップＳ４）。スタンパを使用してディスク基板が作成される。ディスク基板の作成方法としては、圧縮成形、射出成形、光硬化法等が知られている。そして、ステップＳ６において、反射膜および保護膜が被着される。従来のディスク製造方法では、さらに、ラベル印刷を行うことでＣＤを製作していた。
【００１７】
一方、図２の例では、反射膜に対してレーザ光を照射して、さらに、情報を追加記録する工程Ｓ７が付加される。反射膜上のランドは、レーザ光が照射される熱処理（熱記録）によって原子が移動して膜構造や結晶性が変化し、そこの箇所の反射率が低下する。その結果、ランドであっても、レーザ光が照射された後では、戻りレーザ光が少なくなり、読取装置からは、ピットと同様に認識される。これを利用して情報を記録することができる。この場合、反射膜は、反射率がレーザ照射により変化する材料が使用される。反射率が低下するものに限らず、記録によって反射率が高くなる材料もある。
【００１８】
具体的には、アルミニウムの合金膜Ａｌ100-xＸxで反射膜が構成される。Ｘとしては、Ｇｅ，Ｔｉ，Ｎｉ，Ｓｉ，Ｔｂ，Ｆｅ、Ａｇのうちの少なくとも１種以上の元素が使用される。また、Ａｌ合金膜中の組成比ｘは、５＜ｘ＜５０〔原子％〕に選定される。
【００１９】
また、反射膜をＡｇ100-xＸxのＡｇ合金膜によって構成することもできる。その場合、Ｘとしては、Ｇｅ，Ｔｉ，Ｎｉ，Ｓｉ，Ｔｂ，Ｆｅ、Ａｌのうちの少なくとも１種以上の元素が使用される。また、Ａｌ合金膜中の組成比ｘは、５＜ｘ＜５０〔原子％〕に選定される。反射膜は、例えばマグネトロンスパッタリング法によって形成できる。
【００２０】
一例として、ＡｌＧｅ合金による反射膜を５０ｎｍの膜厚で形成し、対物レンズを介して透明基板または保護膜側からレーザ光を照射した場合に、Ｇｅの組成比が２０〔原子％〕の場合では、記録パワーが６〜７〔ｍＷ〕の場合に、反射率が６％程度低下し、Ｇｅの組成比が２７．６〔原子％〕の場合では、記録パワーが５〜８〔ｍＷ〕の場合に、反射率が７〜８％程度低下する。このような反射率の変化が生じることによって、反射膜に対する追加記録が可能となる。
【００２１】
さらに、図３は、従来のＣＤ用信号の１フレームのデータ構成を示す。ＣＤでは、２チャンネルのディジタルオーディオデータ合計１２サンプル（２４シンボル）から各４シンボルのパリティＱおよびパリティＰが形成される。この合計３２シンボルに対してサブコードの１シンボルを加えた３３シンボル（２６４データビット）をひとかたまりとして扱う。つまり、ＥＦＭ変調後の１フレーム内に、１シンボルのサブコードと、２４シンボルのデータと、４シンボルのＱパリティと、４シンボルのＰパリティとからなる３３シンボルが含まれる。
【００２２】
ＥＦＭ変調方式（eight to fourteen modulation: ＥＦＭ）では、各シンボル（８データビット）が１４チャンネルビットへ変換される。ＥＦＭ変調の最小時間幅（記録信号の１と１との間の０の数が最小となる時間幅）Ｔmin が３Ｔであり、３Ｔに相当するピット長が０．８７μm となる。Ｔに相当するピット長が最短ピット長である。また、各１４チャンネルビットの間には、３ビットの結合ビットが配される。さらに、フレームの先頭にフレームシンクパターンが付加される。フレームシンクパターンは、チャンネルビットの周期をＴとする時に、１１Ｔ、１１Ｔおよび２Ｔが連続するパターンとされている。このようなパターンは、ＥＦＭ変調規則では、生じることがないもので、特異なパターンによってフレームシンクを検出可能としている。１フレームは、総ビット数が５８８チャンネルビットからなるものである。フレーム周波数は、７．３５ｋHzとされている。
【００２３】
このようなフレームを９８個集めたものは、サブコードフレーム（またはサブコードブロック）と称される。９８個のフレームを縦方向に連続するように並べ換えて表したサブコードフレームは、サブコードフレームの先頭を識別するためのフレーム同期部と、サブコード部と、データおよびパリティ部とからなる。なお、このサブコードフレームは、通常のＣＤの再生時間の１／７５秒に相当する。
【００２４】
このサブコード部は、９８個のフレームから形成される。サブコード部における先頭の２フレームは、それぞれ、サブコードフレームの同期パターンであるとともに、ＥＦＭのアウトオブルール（out of rule)のパターンである。また、サブコード部における各ビットは、それぞれ、Ｐ，Ｑ，Ｒ，Ｓ，Ｔ，Ｕ，Ｖ，Ｗチャンネルを構成する。
【００２５】
ＲチャンネルないしＷチャンネルは、例えば静止画やいわゆるカラオケの文字表示等の特殊な用途に用いられるものである。また、ＰチャンネルおよびＱチャンネルは、ディスクに記録されているディジタルデータの再生時におけるピックアップのトラック位置制御動作に用いられるものである。
【００２６】
Ｐチャンネルは、ディスク内周部に位置するいわゆるリードインエリアでは、"0" の信号を、ディスクの外周部に位置するいわゆるリードアウトエリアでは、所定の周期で"0" と"1" とを繰り返す信号を記録するのに用いられる。また、Ｐチャンネルは、ディスクのリードイン領域とリードアウト領域との間に位置するプログラム領域では、各曲の間を"1"、それ以外を"0"という信号を記録するのに用いられる。このようなＰチャンネルは、ＣＤに記録されているディジタルオーディオデータの再生時における各曲の頭出しのために設けられるものである。
【００２７】
Ｑチャンネルは、ＣＤに記録されているディジタルオーディオデータの再生時におけるより精細な制御を可能とするために設けられる。Ｑチャンネルの１サブコードフレームの構造は、図４に示すように、同期ビット部１１と、コントロールビット部１２と、アドレスビット部１３と、データビット部１４と、ＣＲＣビット部１５とにより構成される。
【００２８】
同期ビット部１１は、２ビットのデータからなり、上述した同期パターンの一部が記録されている。コントロールビット部１２は、４ビットのデータからなり、オーディオのチャンネル数、エンファシスやディジタルデータ等の識別を行うためのデータが記録されている。この４ビットのデータが"0000"の場合には、プリエンファシスなしの２チャンネルオーディオを指し、"1000"の場合には、プリエンファシスなしの４チャンネルオーディオを指し、"0001"の場合には、プリエンファシスつきの２チャンネルオーディオを指し、"1001"の場合には、プリエンファシスつきの４チャンネルオーディオを指す。また、４ビットのデータが"0100"の場合には、オーディオではないデータトラックを指す。アドレスビット部１３は、４ビットのデータからなり、後述するデータビット部１４内のデータのフォーマット（モード）や種類を示す制御信号が記録されている。ＣＲＣ部１５は、１６ビットのデータからなり、巡回符号（Cyclic Redundancy Check code；ＣＲＣ）のエラー検出を行うためのデータが記録されている。
【００２９】
データビット部１４は、７２ビットのデータからなる。アドレスビット部１３の４ビットのデータが"0001"（すなわち、モード１）である場合には、データビット部１４は、図５に示すような時間コード（位置情報）が記録される構成とされる。すなわち、データビット部１４は、トラック番号部（ＴＮＯ）２１と、インデックス部（ＩＮＤＥＸ）２２と、経過時間部（分成分部（ＭＩＮ）２３、秒成分部（ＳＥＣ）２４、フレーム番号部（ＦＲＡＭＥ）２５からなる）と、ゼロ部（ＺＥＲＯ）２６と、絶対時間部（分成分部（ＡＭＩＮ）２７と、秒成分部（ＡＳＥＣ）２８と、フレーム番号部（ＡＦＲＡＭＥ）２９とからなる）とにより構成される。これらの各部は、それぞれ、８ビットのデータからなるものである。
【００３０】
トラック番号部（ＴＮＯ）２１は、２ディジットの２進化１０進法（Binary Coded Decimal；ＢＣＤ）で表現される。このトラック番号部（ＴＮＯ）２１は、"00"でデータの読み出しを始めるトラックであるリードイントラックの番号を表し、"01"ないし"99"で各曲や楽章等の番号に該当するトラック番号を表す。また、トラック番号部（ＴＮＯ）２１は、１６進数表示の"ＡＡ"でデータの読み出しを終了するトラックであるリードアウトトラックの番号を表す。
【００３１】
インデックス部（ＩＮＤＥＸ）２２は、２ディジットのＢＣＤで表現され、"00"で一時停止、いわゆるポーズを表し、"01"ないし"99"で各曲や楽章等のトラックをさらに細分化したものを表す。
【００３２】
分成分部（ＭＩＮ）２３、秒成分部（ＳＥＣ）２４、フレーム番号部（ＦＲＡＭＥ）２５は、それぞれ、２ディジットのＢＣＤで表現され、合計６ディジットで各曲や楽章内での経過時間（ＴＩＭＥ）を表す。ゼロ部（ＺＥＲＯ）２６は、８ビット全てに"0" が付与されてなる。
【００３３】
分成分部（ＡＭＩＮ）２７、秒成分部（ＡＳＥＣ）２８、フレーム番号部（ＡＦＲＡＭＥ）２９は、それぞれ、２ディジットのＢＣＤで表現され、合計６ディジットで第１曲目からの絶対時間（ＡＴＩＭＥ）を表す。
【００３４】
また、ディスクのリードイン領域におけるＴＯＣ（Table of Contents ）でのデータビット部２４の構造は、図６に示すように、トラック番号部（ＴＮＯ）３１と、ポイント部（ＰＯＩＮＴ）３２と、経過時間部（分成分部（ＭＩＮ）３３、秒成分部（ＳＥＣ）３４、フレーム番号部（ＦＲＡＭＥ）３５からなる）と、ゼロ部（ＺＥＲＯ）３６と、絶対時間部（分成分部（ＰＭＩＮ）３７、秒成分部（ＰＳＥＣ）３８、フレーム番号部（ＰＦＲＡＭＥ）３９からなる）とにより構成され、これらの各部は、それぞれ、８ビットのデータからなる。
【００３５】
トラック番号部（ＴＮＯ）３１、経過時間の分成分部（ＭＩＮ）３３、秒成分部（ＳＥＣ）３４、フレーム番号部（ＦＲＡＭＥ）３５は、いずれも１６進数表示で"00"に固定され、ゼロ部（ＺＥＲＯ）３６は、上述したゼロ部（ＺＥＲＯ）２６と同様に、８ビット全てに"00"が付与されてなる。
【００３６】
また、絶対時間分成分部（ＰＭＩＮ）３７は、ポイント部（ＰＯＩＮＴ）３２が１６進数表示で"Ａ０"の場合には、最初の曲番号あるいは楽章番号を示し、ポイント部（ＰＯＩＮＴ）３２が１６進数表示で”Ａ１”の場合には、最初の曲番号あるいは楽章番号を示す。また、ポイント部（ＰＯＩＮＴ）３２が１６進数表示で"Ａ２"の場合には、絶対時間分成分部（ＰＭＩＮ）３７、絶対時間秒成分部（ＰＳＥＣ）３８、絶対時間フレーム番号部（ＰＦＲＡＭＥ）３９は、それぞれ、リードアウト領域が始まる絶対時間（ＰＴＩＭＥ）を示す。さらに、ポイント部（ＰＯＩＮＴ）３２が２ディジットのＢＣＤで表現される場合には、絶対時間の分成分部（ＰＭＩＮ）３７、秒成分部（ＰＳＥＣ）３８、フレーム番号部（ＰＦＲＡＭＥ）３９は、それぞれ、その数値で示される各曲あるいは楽章が始まるアドレスを絶対時間（ＰＴＩＭＥ）で表したものとなる。
【００３７】
このように、Ｑチャンネルは、ディスクのプログラム領域とリードイン領域とでフォーマットが若干異なるものの、ともに２４ビットで表される時間情報が記録される。図５に示すモード１のＱチャンネルのサブコードは、ディスク上でどの連続する１０サブコードフレームをとっても９サブコードフレーム以上入っていることがＣＤの規格上で決められている。上述したように、サブコードフレームとは、先頭の２フレームが同期パターンとされたサブコードの１区切りを構成する連続する９８フレームをである。
【００３８】
一方、モード１以外のモード２〜モード５の他のモードのサブコードの場合は、連続する１００サブコードフレーム中で１個以上存在していれば良いと規定されている。なお、モード２、モード３は、ＵＰＣ／ＥＡＮ(Universal Product Code/European Article Number)コード、ＩＳＲＣ(International Standard Recording Code)コードを記録するのに使用される。モード４は、ＣＤＶで使用されるものである。モード５は、マルチセッションのＣＤ−ＥＸＴＲＡのリードインで使用されるものである。したがって、モード１、モード２およびモード３のＱチャンネルのサブコードを考慮すれば実際には充分であり、モード４およびモード５についての説明は、以下では省略されている。
【００３９】
上述したように、この発明の一実施形態では、反射膜に対してレーザ光を照射することによって、反射率の変化を生じさせ、情報を記録するよってなされる。情報の一例として、ディスク識別情報（以下、ＵＤＩと称する）を記録する場合を説明する。ＵＤＩは、個々のディスクを識別するための情報であり、例えばＵＤＩを利用してあるディスク製造者、ディスク販売者等が自己のディスクに対してシリアル番号を付加することができる。シリアル番号に限らず、時間情報、製造年月日等を使用することもできる。ＵＤＩは、サブコードのＱチャンネルのデータフォーマットで記録される。したがって、ＵＤＩは、サブコードのＱチャンネルの新たなモードということができる。ここでは、モード７がＵＤＩを記録するためのＱチャンネルのモードと定めている。
【００４０】
図７は、９８フレーム分からなるサブコードフレームによって構成されるＵＤＩのデータフォーマットを示す。７２ビットのデータエリア中の先頭の８ビットがＵＤＩインデックスとされ、残りの６４ビットがＵＤＩのデータ本体（ペイロードと称する）である。ＵＤＩインデックスには、何番目のペイロードかを示す情報等が記録されている。８８ビットの部分がＵＤＩに特有のデータ部分である。
【００４１】
図８は、ＵＤＩの追加記録の方法をより具体的に説明するための図である。フレームシンクは、２４ビット（チャンネルビット）の長さとされ、反転間隔が１１Ｔ，１１Ｔとされ、その後に２Ｔが付加されたものである。二つの１１Ｔと、ピットおよびランドの対応の仕方によってパターンＡとパターンＢとがありうる。最初にパターンＡについて説明する。
【００４２】
フレームシンクとサブコードのシンボルとの間に３ビットの結合ビット（０００）が挿入される。ＵＤＩを記録する場合、スタンピングで成形された光ディスク上のサブコードシンボルは、（０ｘ４７）とされる。０ｘは、１６進表記を意味する。この８ビットをＥＦＭ変調した結果の１４ビットのパターン（００１００１００１００１００）が図８に示されている。
【００４３】
そして、二つのピットの間の斜線領域に対して追加記録用のレーザビームを照射する。その結果、斜線領域の反射率が低下し、記録後では、二つのピットが結合した一つのピットとして再生される。この場合の１４ビットのパターンが（００１００１００００００００）となる。これは、ＥＦＭ復調した場合には、（０ｘ０７）の８ビットとして復調される。
【００４４】
前側の１１Ｔがランドであり、後側の１１ＴがピットであるパターンＢの場合では、結合ビットが（００１）となる。この場合も、パターンＡと同様に、斜線領域にレーザビームを照射することによって、サブコードの８ビットを（０ｘ４７）から（０ｘ０７）へと変化させることができる。
【００４５】
図９Ａに示すように、サブコードの８ビットは、９８フレーム中で同期信号のフレームとされる先頭の２フレーム以外の９６フレームでは、各ビットがチャンネルＰ，Ｑ，Ｒ，Ｓ，Ｔ，Ｕ，Ｖ，Ｗのビットにそれぞれ対応している。したがって、０ｘ４７を０ｘ０７へ変化させることは、図９Ａから明らかなように、チャンネルＱ以外のビットを変化させることなしに、チャンネルＱのビットのみを"1" か"0" に変化させることである。したがって、ＵＤＩの１サブコードフレームに含まれる８８ビットは、記録前では、全て"1" であり、レーザビームが照射された箇所のみが"0" となされる。
【００４６】
図９Ｂは、追加記録の方法の他の例を示す。ＵＤＩのビットが"0" の場合では、サブコードの８ビットを（０ｘ４０）から（０ｘ００）へ変化させる例である。この他の例においても、チャンネルＱ以外のビットを変化させることなしに、チャンネルＱのビットのみを"1" から"0" へ変化させることができる。
【００４７】
さらに、図９Ａおよび図９Ｂの例では、チャンネルＰが"0" の値とされている。チャンネルＰは、曲間で"1" となり、曲データ内で"0" となるものである。曲間は、２〜３秒程度と短く、曲間と再生装置が判断すると、そこに記録されているサブコードを読まないことがあるので、ＵＤＩを記録する場所としては、曲間は、不適当である。上述したように、Ｐ＝"0" とすることによって、ＵＤＩを曲の部分に記録することができる。
【００４８】
この発明の一実施形態では、ＵＤＩをディスク上の固定の位置に記録する。ＵＤＩが記録されるエリアをＵＤＩエリアと称する。追加記録の方法として、マスタリングと同様に、ディスクを回転させて記録する方法を使用すると、ディスクのプログラム領域に全体的にＵＤＩを記録すると、記録に要する時間が長くなるので、例えばプログラム領域の先頭部分にＵＤＩエリアを設けてそこにＵＤＩを記録するようになされる。但し、記録処理に要する時間を考慮しなくても良い場合、高速記録が可能な場合等では、このような制約を無視して、ディスクの全面にわたってＵＤＩを記録するようにしても良い。
【００４９】
ＣＤの規格では、サブコードのＱチャンネルに関しては、割合からの規定がなされている。すなわち、上述したように、モード１のサブコードは、ディスク上でどの連続する１０サブコードフレームをとっても９サブコードフレーム以上入っていることが必要とされている。モード１以外のモード２、モード３のサブコードの場合は、連続する１００サブコードフレーム中で１個以上存在していれば良いと規定されている。
【００５０】
このような割合の規格を満たしつつ、ＵＤＩを固定位置に記録することが可能な記録方法について説明する。図１０は、ＵＤＩの記録レイアウトの一例である。ＵＤＩは、モード７のサブコードとしている。また、ペイロードは、図７のデータフォーマットでは、６４ビット（または７２ビット）のデータを指している。さらに、ＵＤＩが一つのペイロードから構成されるものに限られないので、図１０に示すように、ｎ（ｎ＝１，２，３，・・・）個のペイロードからなるＵＤＩセットがＵＤＩデータ単位として使用されている。例えばＵＤＩが１９２ビットのデータの場合では、これが６４ビット毎のペイロード０，ペイロード１，ペイロード２に３分割される。
【００５１】
図１０では、ＵＤＩエリアにおいて、トラックスタートタイムをＳとした時に、ペイロードが２０フレーム（サブコードフレーム）意味である。）間隔の位置（Ｓ＋００（分）：０１（秒）：００（フレーム），Ｓ＋００：０１：２０，・・・・）に配置され、ペイロードの記録位置の中間の位置（Ｓ＋００（分）：０１（秒）：１０（フレーム），Ｓ＋００：０１：３０，・・・・）がモード２またはモード３のサブコードの記録可能なエリアとされている。最初のペイロードの記録位置の前の９サブコードフレームと、最後のペイロードの後の９サブコードフレームのエリアは、モード１のサブコードが記録されるエリアである。さらに、ＵＤＩエリアにおいては、ペイロード（モード７）およびモード２／３のサブコードのためのエリア以外のエリアがモード１のサブコードの記録エリアである。また、ＵＤＩのエラー対策のために、多重記録がなされる。図１０の例では、ＵＤＩのセットが５重に記録されている。したがって、ＵＤＩエリアの長さは、２０×ｎ×５＝１００ｎ（サブコードフレーム）となる。
【００５２】
図１１は、ＵＤＩの記録レイアウトの第２の例を示す。ＵＤＩセットが二つのペイロード（ペイロード０およびペイロード１）から構成される。各ペイロードが１０サブコードフレームの間隔で記録され、また、５重に記録される。３番目のＵＤＩセットを構成するペイロード０の記録位置（Ｓ＋００：０１：４０）の後ろの（Ｓ＋００：０１：５０）の位置から（Ｓ＋００：０２：１５）までのエリアがモード２／３のサブコードの記録可能なエリアとされている。（Ｓ＋００：０２：２５）の位置に３番目のＵＤＩセットを構成するペイロード１が記録される。したがって３番目のＵＤＩセットの二つのペイロードが６０フレームの間隔で記録される。その後に、１０サブコードフレームの間隔でＵＤＩセットが２回記録される。
【００５３】
ペイロードエリアの前後の９フレームと、ＵＤＩエリア内のペイロードの記録エリア、モード２／３のサブコードの記録エリア以外のエリアに、モード１のサブコードがそれぞれ記録される。モード２／３のサブコードの記録可能なエリア（６０サブコードフレーム）内でも、モード１のサブコードが規格の割合を満たすように記録される。
【００５４】
図１２は、ＵＤＩの記録レイアウトの第３の例を示す。ペイロードセットが一つのペイロードで構成される場合である。この場合では、ペイロードセットとペイロードとが同一となる。ペイロードが１０サブコードフレームの間隔で５重に記録される。ペイロードエリアの前後の９フレーム、並びにＵＤＩエリア内におけるペイロードの記録エリア以外にモード１のサブコードがそれぞれ記録される。図１２の例では、ＵＤＩエリアの全体の長さが短いので、モード２／３のサブコードの記録可能なエリアを設ける必要がない。
【００５５】
図１３は、ＵＤＩの記録レイアウトの第４の例を示す。図１１に示す例では、ＵＤＩセットを構成する二つのペイロード（ペイロード０およびペイロード１）が隣接して配置されるのに対して、図１３の例では、５個のペイロード０と５個のペイロード１とがそれぞれまとめて配置される。図１３の配置の場合では、ＵＤＩセット内の特定のペイロードを追加記録するのを容易とできる。ペイロードが１０サブコード間隔で配置される点、モード２／３の記録可能なエリアが中央部に設けられる点は、図１１の構成と同様である。
【００５６】
なお、上述した記録レイアウトにおけるサブコードフレームの数値の例は、一例であって、種々の数値を使用することが可能である。例えばペイロードの配置する間隔を１１サブコードフレーム、１２サブコードフレーム等に設定しても良い。その場合でも、モード１のサブコードが含まれる割合が規格を満たしたものとなる。また、モード１は、他のモード２／３と比較して重要度が高いので、モード１に関する割合の規格に反してはならないが、場合によっては、モード２／３の割合に関する規格を満たさなくても良い。例えば図１１または図１３の例におけるモード２／３の記録可能なエリアを省略しても良い。
【００５７】
図１４は、この発明によるデータ記録媒体を作成するためのマスタリング装置の構成の一例を示す。マスタリング装置は、例えばＡｒイオンレーザ、Ｈｅ−ＣｄレーザやＫｒイオンレーザ等のガスレーザや半導体レーザであるレーザ５１と、このレーザ５１から出射されたレーザ光を変調する音響光学効果型の光変調器５２と、この光変調器５２を通過したレーザ光を集光し、感光物質であるフォトレジストが塗布されたディスク状のガラス原盤５４のフォトレジスト面に照射する対物レンズ等を有する記録手段である光ピックアップ５３を有する。
【００５８】
光変調器５２は、記録信号にしたがって、レーザ５１からのレーザ光を変調する。そして、マスタリング装置は、この変調されたレーザ光をガラス原盤５４に照射することによって、データが記録されたマスタを作成する。また、光ピックアップ５３をガラス原盤５４との距離が一定に保つように制御したり、トラッキングを制御したり、スピンドルモータ５５の回転駆動動作を制御するためのサーボ回路（図示せず）が設けられている。ガラス原盤５４がスピンドルモータ５５によって回転駆動される。
【００５９】
光変調器５２には、加算器７３からの記録信号が供給される。入力端子６１からは、記録するメインのディジタルデータが供給される。メインのディジタルデータは、例えばＣＤ−ＲＯＭのデータフォーマットを有する。入力端子６２からは、現行のＣＤ規格に基づいたチャンネルＰ〜Ｗのサブコード（通常のサブコードと称する）が供給される。通常のサブコードには、モード１のみならず、モード２、モード３のサブコードも含まれる。入力端子６３からは、ＵＤＩサブコードが供給される。ＵＤＩサブコードは、上述したように、（０ｘ４７）または（０ｘ０７）のデータである。入力端子６４からは、フレームシンクが供給される。
【００６０】
メインディジタルデータは、ＣＩＲＣ（Cross Interleave Reed-Solomon Code）エンコーダ６５に供給され、エラー訂正用のパリティデータ等を付加するエラー訂正符号化処理やスクランブル処理が施される。すなわち、１サンプルあるいは１ワードの１６ビットが上位８ビットと下位８ビットとに分割されてそれぞれシンボルとされ、このシンボル単位で、例えばＣＩＲＣによるエラー訂正用のパリティデータ等を付加するエラー訂正符号化処理やスクランブル処理が施される。
【００６１】
入力端子６２からの通常のサブコードがサブコードエンコーダ６６にて上述したサブコードのフレームフォーマットを有するサブコードに変換され、スイッチ回路６８の一方の入力端子ａに供給される。入力端子６３からのＵＤＩサブコードがサブコードエンコーダ６７にて上述したＵＤＩのフレームフォーマットを有するＵＤＩに変換され、スイッチ回路６８の他方の入力端子ｂに供給される。マスタリングの段階では、ＵＤＩサブコードのシンボルが（０ｘ４７）または（０ｘ４０）とされている。
【００６２】
ＣＩＲＣエンコーダ６５からのメインデータとスイッチ回路６８の出力端子ｃからのサブコードまたはＵＤＩが加算器６９でミックスされる。スイッチ回路６８は、切替信号生成器７０からの切替信号によって制御される。切替信号生成器７０は、マスタリング装置の全体を制御するコントローラ（図中ではＣＰＵと記す）７１からの指示信号に基づいて切替信号を生成する。上述したように、ディスク上でＵＤＩエリアの位置が固定位置とされ、また、ＵＤＩエリア内でＵＤＩデータ（モード７のサブコード）が記録される位置も固定化されている。したがって、スイッチ回路６８がＵＤＩデータを記録するフレームでは、入力端子ｂを選択し、それ以外のモード１、モード２／３のサブコードを記録するフレームでは、入力端子ａを選択するように制御することができる。
【００６３】
加算器６９の出力がＥＦＭ変調器７２に供給され、変換テーブルにしたがって８ビットのシンボルが１４チャンネルビットのデータへ変換される。ＥＦＭ変調器７２の出力が加算器７３に供給される。加算器７３には、入力端子６４からのフレームシンクが供給され、加算器７３からは、上述したフレームフォーマットの記録信号が発生する。この記録信号が光変調器５２に供給され、光変調器５２からの変調されたレーザビームによってガラス原盤５４上のフォトレジストが露光される。このように記録がなされたガラス原盤５４を現像し、電鋳処理することによってメタルマスタを作成し、次に、メタルマスタからマザーディスクが作成され、さらに次に、マザーディスクからスタンパが作成される。スタンパーを使用して、圧縮成形、射出成形等の方法によって、光ディスクが作成される。この光ディスクは、通常のＣＤと同様のものであるが、次に説明するように、ＵＤＩを追加記録可能なように、反射膜の材料が選定されたものである。
【００６４】
図１５は、上述したマスタリングおよびスタンピングによって作成された光ディスクに対してＵＤＩを追加記録するための記録再生装置の構成の一例を示す。参照符号７１が作成されたディスクを示す。参照符号７２がディスク７１を回転駆動するスピンドルモータであり、７３がディスク７１に記録された信号を再生すると共に、ＵＤＩを記録するための光ピックアップである。光ピックアップ７３は、レーザ光をディスク７１に照射する半導体レーザ、対物レンズ等の光学系、ディスク７１からの戻り光を受光するディテクタ、フォーカスおよびトラッキング機構等からなる。記録時と非記録時とで、レーザパワーが切り換えられる。記録時では、反射膜に対して反射率の変化を生じさせるのに必要なパワーのレーザが使用され、非記録時では、ディスク７１上に記録されている情報を読み取るのに必要なパワーのレーザが使用される。さらに、光ピックアップ７３は、スレッド機構（図示しない）によって、ディスク７１の径方向に送られる。
【００６５】
光ピックアップ７３の例えば４分割ディテクタからの出力信号がＲＦ部７４に供給される。ＲＦ部７４は、４分割ディテクタの各ディテクタの出力信号を演算することによって、再生（ＲＦ）信号、フォーカスエラー信号、トラッキングエラー信号を生成する。再生信号がシンク検出部７５に供給される。シンク検出部７５は、各フレームの先頭に付加されているフレームシンクを検出する。検出されたフレームシンク、フォーカスエラー信号、トラッキングエラー信号がサーボ回路７６に供給される。サーボ回路７６は、ＲＦ信号の再生クロックに基づいてスピンドルモータ７２の回転動作を制御したり、光ピックアップ７３のフォーカスサーボ、トラッキングサーボを制御する。
【００６６】
フレームシンク検出部７５から出力されるメインデータがＥＦＭ復調器７７に供給され、ＥＦＭ復調の処理を受ける。ＥＦＭ復調器７７からのメインディジタルデータは、出力端子７８に取り出される。ＥＦＭ復調器７７からのサブコードデータがスイッチ回路７９の入力端子ａに供給される。スイッチ回路７９が二つの出力端子ｂおよびｃを有し、一方の出力端子ｂからの再生された通常のサブコードがサブコード復号器８０に供給され、その他方の出力端子ｃからのＵＤＩエリアから再生されたサブコードがサブコード復号器８１に供給される。
【００６７】
サブコード復号器８０は、ＵＤＩエリア以外に記録されている通常のサブコードを復号し、出力端子８２に対して再生サブコードを出力すると共に、ＵＤＩ記録装置の全体を制御するコントローラ（図中ではＣＰＵと記す）８３に対して再生サブコードを供給する。それによってコントローラ８３が現在の読取位置を知ることができる。サブコード復号器８１は、ＵＤＩエリア内のサブコードを復号する。上述したように、ＵＤＩエリア内には、通常のサブコードとモード７のサブコードとが記録されている。各サブコードのフレームに配されているアドレスからモードを判別し、通常のサブコードの場合には、復号し、モード７のサブコードの場合には、復号しない。
【００６８】
サブコード復号器８１からの通常のサブコードに対応する再生サブコードがコントローラ８３に供給される。また、サブコード復号器８１では、通常のサブコードのモード（モード１、モード２、モード３）とＵＤＩ用のモード７とが判別され、そのモード判別の結果が記録位置決定部８４に供給される。
【００６９】
スイッチ回路７９は、ＵＤＩエリア指示部８５からの切替信号に基づいて切り替えられる。ＵＤＩ記録装置の全体を制御するコントローラ８３からの指示信号に基づいてＵＤＩエリア指示部８５が切替信号を生成する。ＵＤＩエリア指示部８５の指示信号が記録位置決定部８４に供給される。さらに、ペイロードデータ指示部８６からの指示信号が記録位置決定部８４に供給される。
【００７０】
記録位置決定部８４は、ＵＤＩエリア内であって、モード７のサブコードを記録する位置の内の、追加記録が必要な位置（箇所）を決定する。すなわち、マスタリングによって作成されたディスク上では、モード７のサブコードの初期値が"1" （図９参照）とされており、ペイロードデータが"0" の場合にのみ、記録パワーのレーザを照射する記録動作が必要とされている。記録位置決定部８４から記録回路８７に対してレーザパワーを記録パワーに変更するための制御信号が供給される。記録回路８７は、この制御信号に応答して所定箇所（図８参照）でレーザパワーを増大させ、ＵＤＩデータ（サブコードのＱチャンネル）が"0" であるデータを記録する。さらに、ペイロードデータ指示部８６からは、ＵＤＩデータに関するＣＲＣを記録するための制御信号も発生し、エラー検出用のＣＲＣの記録もなされる。
【００７１】
この発明は、上述したこの発明の一実施形態等に限定されるものでは無く、この発明の要旨を逸脱しない範囲内で様々な変形や応用が可能である。例えばＵＤＩセットがディスクそれぞれを識別するためのデータ以外にディスク間で共通の情報を含む場合には、その情報をマスタリングによって予め記録するようにしても良い。例えばＵＤＩインデックスをマスタリングで記録するようにしても良い。また、ＵＤＩは、ディスクのプログラムエリアに限らず、リードインエリア内に設けるようにしても良い。
【００７２】
この発明は、例えばＣＤ−ＤＡのフォーマットのデータとＣＤ−ＲＯＭのフォーマットのデータをそれぞれ記録するマルチセッションの光ディスクに対しても適用できる。また、光ディスクに記録される情報としては、オーディオデータ、ビデオデータ、静止画像データ、文字データ、コンピュータグラフィックデータ、ゲームソフトウェア、およびコンピュータプログラム等の種々のデータが可能である。したがって、この発明は、例えばＤＶＤビデオ、ＤＶＤ−ＲＯＭに対しても適用できる。さらに、円板状に限らずカード状のデータ記録媒体に対してもこの発明を適用できる。
【００７３】
【発明の効果】
以上の説明から明らかなように、この発明によれば、ディスクを識別するためのＵＤＩを記録する位置が固定とされているので、ＵＤＩを容易に追加記録することができる。また、この発明では、所定のデータ例えばモード１のデータの割合が規格に合致したものとできる。
【図面の簡単な説明】
【図１】従来のＣＤの記録パターンとＣＤの構造を説明するための略線図である。
【図２】この発明が適用されるディスクの製作工程を説明するための略線図である。
【図３】ＣＤのフレームフォーマットを説明するための略線図である。
【図４】Ｑチャンネルのサブコードのサブコードフレームを説明するための略線図である。
【図５】時間情報をＱチャンネルのサブコードとして記録するためのモード１のフォーマットを示す略線図である。
【図６】ＴＯＣ領域におけるモード１のフォーマットを説明するための略線図である。
【図７】この発明の一実施形態においてＱチャンネルのサブコードとしてＵＤＩを記録する場合のフォーマットの一例を示す略線図である。
【図８】この発明の一実施形態におけるＵＤＩの記録方法の説明に用いる略線図である。
【図９】この発明の一実施形態におけるＵＤＩの記録方法の説明に用いる略線図である。
【図１０】ＵＤＩエリアのレイアウトの第１の例の説明に用いる略線図である。
【図１１】ＵＤＩエリアのレイアウトの第２の例の説明に用いる略線図である。
【図１２】ＵＤＩエリアのレイアウトの第３の例の説明に用いる略線図である。
【図１３】ＵＤＩエリアのレイアウトの第４の例の説明に用いる略線図である。
【図１４】この発明の一実施形態であるマスタリング装置の構成の一例を示すブロック図である。
【図１５】この発明の一実施形態であるＵＤＩ記録装置の構成の一例を示すブロック図である。
【符号の説明】
２・・・反射膜、５１・・・レーザ、５３・・・光ピックアップ、５４・・・ガラス原盤、６２・・・通常のサブコードの入力端子、６３・・・ＵＤＩサブコードの入力端子、７１・・・マスタリングによって作成されたディスク、８４・・・記録位置決定部、８７・・・記録回路
【図１】
0003754917.tif 000002
【図２】
0003754917.tif 000003
【図３】
0003754917.tif 000004
【図４】
0003754917.tif 000005
【図５】
0003754917.tif 000006
【図６】
0003754917.tif 000007
【図７】
0003754917.tif 000008
【図８】
0003754917.tif 000009
【図９】
0003754917.tif 000010
【図１０】
0003754917.tif 000011
【図１１】
0003754917.tif 000012
【図１２】
0003754917.tif 000013
【図１３】
0003754917.tif 000014
【図１４】
0003754917.tif 000015
【図１５】
0003754917.tif 000016